(57)【特許請求の範囲】
【請求項１】
水域の水の流れを用いて電気を発生するための装置の上流側から下流側への落差が使用中にあるように水域を横切って設置される装置であって、
−間隔を置いた別々のエレメントの配列であって、各エレメントは、細長い流れ通路を定義し、そして上流側および細長い下流側を有しており、各エレメントには、その長さの少なくとも一部に沿って間隔を置いた一連の孔が設けられ、そして前記細長い下流側は、前記上流側から離れる方向に延びてテーパーが付けられており、前記エレメントは、隣接するエレメントの対向する壁がベンチュリ部および前記ベンチュリ部から下流に延びる第１のディフューザ部を定義するように並んで配置される、エレメントの配列、
−入口および出口を有する流れ導管、
−前記流れ導管内に位置するタービン、および、
−前記タービンに接続している発電機または水圧ポンプ、を備え、
ベンチュリ部を通る水の流れにより、水が前記流れ導管を通りそして前記孔を経て外に引かれて、結果としてタービンを駆動する流れを生じさせるように、前記流れ通路は前記流れ導管の前記出口に接続している、装置。
【請求項２】
前記エレメントが１つの配列において並んで配置されるときに、隣接するエレメントの対向する壁が前記ベンチュリ部から上流に延びる第２のディフューザ部を定義するように、各エレメントの上流側は、細長い形状を形成するために前記孔から離れて延びてかつテーパーが付けられる、請求項１に記載の装置。
【請求項３】
前記上流側のプロフィールおよび前記下流側のプロフィールは、実質的に同じである、請求項２に記載の装置。
【請求項４】
前記上流側の前端部のプロフィールは、実質的にＶ形状である、請求項１〜３のいずれか１項に記載の装置。
【請求項５】
各エレメントのプロフィールは、実質的に六角形である、請求項１〜４のいずれか１項に記載の装置。
【請求項６】
各エレメントのプロフィールは、実質的に楕円である、請求項１〜３のいずれか１項に記載の装置。
【請求項７】
前記上流側のプロフィールおよび前記下流側のプロフィールは、実質的に異なる、請求項１または２に記載の装置。
【請求項８】
前記ディフューザ部を定義する各エレメントの外面は、前記ディフューザ部を通る乱流を誘発するために粗面である、請求項１〜７のいずれか１項に記載の装置。
【請求項９】
前記ディフューザ部の範囲内に位置するスペーサ要素をさらに備える、請求項１〜８のいずれか１項に記載の装置。
【請求項１０】
前記スペーサ要素は、各エレメントと関連して前記ディフューザ部の範囲内で移動可能である、請求項９に記載の装置。
【請求項１１】
各エレメントの前記下流側の端部は、複数のオリフィスを備える、請求項１〜１０のいずれか１項に記載の装置。
【請求項１２】
前記下流側は流量制御弁を備え、前記流量制御弁は、前記下流側と前記流れ通路との間に設けられる、請求項１１に記載の装置。
【請求項１３】
各エレメントは、前記上流側を前記下流側から切り離すために可動の分離パネルを備え、前記分離パネルは、前記流れ通路の断面積を変えるために制御可能である、請求項１〜１２のいずれか１項に記載の装置。
【請求項１４】
前記下流側は、浮力部を含む、請求項１〜１３のいずれか１項に記載の装置。
【請求項１５】
前記エレメントは、実質的に垂直に配置される、請求項１〜１４のいずれか１項に記載の装置。
【請求項１６】
各エレメントは、その下端部で水平のマニホルドに接続し、前記マニホルドは、前記流れ導管に接続している、請求項１５に記載の装置。
【請求項１７】
前記エレメントを横切って水平に配置される水平の流れ管理ベーンをさらに備える、請求項１５または１６に記載の装置。
【請求項１８】
各流れ通路は、前記流れ通路の下に垂直に配置される一連のチャンバ、および、各チャンバから延びて、前記一連のチャンバの下方に位置する入口を有するフィーダ管を備える、請求項１４〜１６のいずれか１項に記載の装置。
【請求項１９】
隣接するエレメント間に延びる少なくとも１つの水平の隔膜をさらに備える、請求項１４〜１８のいずれか１項に記載の装置。
【請求項２０】
前記エレメントは、実質的に水平に配置される、請求項１〜１４のいずれか１項に記載の装置。
【請求項２１】
各エレメントは、垂直のマニホルドに接続し、前記マニホルドは、前記流れ導管に接続している、請求項２０に記載の装置。
【請求項２２】
各マニホルドは、各チャンバが流れ通路の前記端部に隣接して配置される一連のチャンバ、および、前記チャンバから延びて、前記一連のチャンバの下方に位置する入口を有するフィーダ管を備える、請求項２０または２１に記載の装置。
【請求項２３】
隣接するエレメント間に延びる少なくとも１つの垂直の隔膜をさらに備える、請求項２０〜２２のいずれか１項に記載の装置。
【請求項２４】
前記装置の前記下流側から延びるシンフォニックカウルをさらに備え、前記シンフォニックカウルは、カウル内部の水を大気圧から分離する、請求項１〜２３のいずれか１項に記載の装置。
【請求項２５】
前記孔は、開位置と閉位置との間を操作可能な閉鎖メカニズムを備え、前記メカニズムが閉位置にあるとき、前記孔を通る水の流れは妨げられる、請求項１〜２４のいずれか１項に記載の装置。
【請求項２６】
各孔は、個々に制御可能な閉鎖メカニズムを有する、請求項２５に記載の装置。
【請求項２７】
前記閉鎖メカニズムは弁である、請求項２５または２６に記載の装置。
【請求項２８】
前記閉鎖メカニズムはゲートである、請求項２５または２６に記載の装置。
【請求項２９】
水域の海流または潮の流れを用いて電気を発生する請求項１〜２８のいずれか１項に記載の装置に含まれるエレメントであって、前記エレメントは、細長い流れ通路を定義し、そして上流側および細長い下流側を有しており、前記エレメントには、その長さの少なくとも一部に沿って間隔を置いた一連の孔が設けられ、前記下流側は、流れの方向に延びてテーパーが付けられており、前記エレメントが１つの配列において並んで配置されるときに、隣接するエレメントの対向する壁は、ベンチュリ部および前記ベンチュリ部から下流に延びる第１のディフューザ部を定義する、エレメント。
【請求項３０】
潮または海流の流れから電気を発生する方法であって、請求項１〜２８のいずれか１項に記載の装置を水域を横切って提供するステップ、潮または水の流れが前記ベンチュリを通って流れることを許容するステップ、および二次流れが前記流れ導管を通って流れて、そして前記タービンを駆動することを許容するステップ、を含む方法。
【発明の詳細な説明】
【技術分野】
【０００１】
本発明は、流れる水域（ｂｏｄｙ  ｏｆ  ｆｌｏｗｉｎｇ  ｗａｔｅｒ）の波、潮流または海流のエネルギーを、エネルギーのより役立つ形態へ変換するためのシステムに関する。特に、本発明は、水域（ｂｏｄｙ  ｏｆ  ｗａｔｅｒ）の波、潮流または海流のような流れを用いて電気を発生させるための装置を提供する。
【背景技術】
【０００２】
発電への無公害アプローチとして海流、波または潮の流れを電気に変換するための多くの提案は、あった。
【０００３】
波からエネルギーを抽出する以前のシステムは、波長に沿った楕円の水粒子のパス間の位相シフトによって生じる水面の上下移動を使用した。概して、以前のデバイスは、波面の周期的な上下移動を発電（通常は回転する）に役立つある形の運動に変換するための、機械式装置と連結するある形のフロート、または波面よりも上のある形のエアトラップボディを含んだ。この種のシステムは、しばしば機械的に複雑になり、周囲の波動スペクトルのエネルギー密度がピークに達すると思われる周波数で共振するために、効果的に仕事に同調する。波の周波数がこの設計共振周波数と異なる場合、出力は劇的に低下することができる。振動する縦の波動成分なしで横方向の流れだけがある（海流または潮流）場合、この種のシステムは役に立たない。
【０００４】
横方向の流れのエネルギーを抽出するためのシステムは、提案された。この種のシステムは、流れによって振動させられることがありえるベーンの使用を含んだ。そして、機械式伝送システムがこれを回転運動に変換した。これらのシステムは、機械的複雑さ、他の動作タイプからエネルギーを抽出することができないなど、波力利用のシステムに類似の課題に直面する。他のシステムは、ハブの中に電気的発電機を有する大きな水中プロペラを特徴とする。そしてそれは、風の流れの代わりに水の流れを除けば風車に類似している。最大の入射海流エネルギーへの露出を得るためのさっと払われるディスクのために、ブレードは非常に長くなければならない。そしてそれは、洗練されたデザインおよび材料が翼の根元で応力に適応することを必要とする。従来のダムのような、沖合の防潮堰は、含んでいる壁の後ろで上げ潮の潮の流入を止めて、そして非常に小さい横断面積のタービンで再びそれを外へ漏斗状に通すことによって、水の流れの大きい断面の入射エネルギーを集中させようと模索する。下げ潮は、堰の後ろのラグーンに閉じ込められた水と、堰の海に面した側の下げ潮との間の十分な水頭の違いを提供する。この種の堰は、概して潮の河口全体に、非常に高価でかつ環境的に破壊的であり、そして、河口の局地的地形を有する潮の流れの相互作用が潮の差を増幅することを必要とする。
【０００５】
波または流れのシステムにとっての１つの共通の課題は、産業的スケールで可能な発電のための海の十分に大きい横断面に対処するそれらの能力である。さらに、端部または縁部効果は、流れがエネルギー抽出システムを通過するよりはむしろ、エネルギーをそれから抽出するために流れに置かれる任意の構造の周囲に広がることをより容易にすることができる。この課題は、設置を非常に大きくすることによって少なくされることができる。しかしこれは、さらなる複雑さおよび出費に至ることができて、海流技術機能の範囲外に導いてよい。
【０００６】
特許文献１は、ベンチュリ管がパイプ間に定められるように一連のパイプが配置される、波または海流の流れからエネルギーを変換する装置を開示する。これらのパイプ間の水の流れは、マニホルドの流れ導管によって供給されてタービンを駆動する水をパイプを通して引くポンプとしてベンチュリ管を作用させる。一連のパイプは、垂直面を有する配列を形成するように配置され、垂直面は、堰を形成するために海底に載置される。
【先行技術文献】
【特許文献】
【０００７】
【特許文献１】国際公開第ＷＯ２００８／０１５０４７号パンフレット
【発明の概要】
【発明が解決しようとする課題】
【０００８】
本発明は、この種のエネルギー発生デバイスのための改良された性能を提供するために代わりのパイプ配置を提供することを模索する。
【課題を解決するための手段】
【０００９】
本発明の第１の態様は、水域の水の流れを用いて電気を発生する装置であって：
−間隔を置いた別々のエレメントの配列であって、各エレメントは、細長い流れ通路を定義し、そして上流側および細長い下流側を有しており、各エレメントには、その長さの少なくとも一部に沿って間隔を置いた一連の孔が設けられ、そして下流側は、上流側から離れる方向に延びてテーパーが付けられており、エレメントは、隣接するエレメントの対向する壁がベンチュリ部および前記ベンチュリ部から下流に延びる第１のディフューザ部を定義するように並んで配置される、エレメントの配列；
−入口および出口を有する流れ導管；
−流れ導管内に位置するタービン；および、
−タービンに接続している発電機または水圧ポンプ；を備え；
ベンチュリ部を通る水の流れにより、水が流れ導管を通りそして孔を経て外に引かれて、結果としてタービンを駆動する流れを生じさせるように、流れ通路は流れ導管の出口に接続している、装置を提供する。
【００１０】
エレメントが並んで配置されるときに、隣接するエレメントの対向する壁がベンチュリ部から上流に延びる第２のディフューザ部を定義するように、各エレメントの上流側は、細長い形状を形成するために孔から離れて延びることができて、かつテーパーを付けられることができる。上流側および下流側のプロフィールは、実質的に同じでありえる。
【００１１】
一実施形態において、上流側の前端部のプロフィールは、実質的にＶ形状である。上流側のＶ形状の前端部については、ベンチュリのより大きい圧力低下は、発生してよい。より大きい圧力低下は、ベンチュリを通る一次流れを一緒にするために孔から外への二次流れを容易にするのを助ける。
【００１２】
各エレメントのプロフィールは、実質的に六角形でもよく、または実質的に楕円でもよい。プロフィールは、使用中に各エレメントのプロフィールが流れの方向に延びるようなものである。
【００１３】
一実施形態において、上流側のプロフィールおよび下流側のプロフィールは、実質的に異なる。
【００１４】
ディフューザ部を定義するエレメントの外面は、ディフューザ部における乱流を誘発するために粗面であることができる。
【００１５】
装置は、ディフューザ部の範囲内に位置するスペーサ要素をさらに備えることができる。スペーサ要素は、エレメントと関連してディフューザ部の範囲内で移動可能でありえる。
【００１６】
装置は、『Ｓｐｅｃｔｒａｌ  Ｍａｒｉｎｅ  Ｅｎｅｒｇｙ  Ｃｏｎｖｅｒｔｏｒ』（ＳＭＥＣ）である。
【００１７】
エレメントの下流側の端部のバックエンドは、ディフューザ部で境界層制御を援助するために、複数の穿孔を備えることができる。
【００１８】
下流側の端部は、流量制御弁を備えることができる。流量制御弁は、エレメントの下流側の端部と流れ通路との間に流れのパスを提供する。
【００１９】
各エレメントは、上流側を下流側から切り離すために、可動の分離パネルを備えることができる。分離パネルは、流れ通路の断面積を変えるために制御可能でありえる。断面積を制御するおよび／または流れ通路の部分をブロックする他の機構は、用いられることができる
【００２０】
システムは、システムの浮力を制御するかまたは変化させて、例えば水におけるその深さを上下させるために、浮力手段を備えてよい。浮力手段は、システムの部分において提供されてよく、および下流側で提供されてよい。浮力手段は、空気が導入されてよくまたは除去されてよい気密室でもよい。
【００２１】
一実施形態において、エレメントは、実質的に垂直である。エレメントは、それらの下端部で水平のマニホルドに接続し、マニホルドは、流れ導管に接続している。
【００２２】
装置は、エレメントを横切って水平に配置される水平の流れ管理ベーンをさらに備えることができる。各流れ通路は、流れ通路の下に垂直に配置される一連のチャンバ、および、各チャンバから延びて、一連のチャンバの下方に位置する入口を有するフィーダ管を備えることができる。
【００２３】
垂直のエレメントを有する実施形態において、装置は、隣接するエレメント間に延びる少なくとも１つの水平の隔膜をさらに備えることができる。複数の水平の隔膜は、エレメントに沿って間隔を置かれた別々の間隔で２つの隣接するエレメント間に延びることができる。水平の隔膜は、隣接するエレメント間の垂直面における渦のサイズを最小にするのを助けてよい。
【００２４】
別の実施形態では、エレメントは、実質的に水平である。エレメントは、垂直のマニホルドに接続し、マニホルドは、流れ導管に接続している。
【００２５】
各マニホルドは、各チャンバが流れ通路の端部に隣接して配置される一連のチャンバ、および、チャンバから延びて、一連のチャンバの下方に位置する入口を有するフィーダ管を備えることができる。
【００２６】
水平のエレメント有する実施形態において、装置は、隣接するエレメント間に延びる少なくとも１つの垂直の隔膜をさらに備えることができる。複数の垂直の隔膜は、２つの隣接するエレメント間に延びることができる。垂直の隔膜は、隣接するエレメント間の水平面における渦のサイズを最小にするのを助けてよい。
【００２７】
装置は、装置の下流側から延びるシンフォニックカウルをさらに備えることができる。シンフォニックカウルは、装置の後部で、ベンチュリを出る流れのミキシングから乱流を最小にするのを助けてよい傾斜したフードを作成する。カウルは、大気圧の下で下流側の装置の最上部で圧力を維持するのを助けてよい。
【００２８】
孔は、開位置と閉位置との間を操作可能な閉鎖メカニズムを備えてよく、メカニズムが閉位置にあるとき、孔を通る水の流れは妨げられる。
【００２９】
各孔は、個々に制御可能な閉鎖メカニズムを有してよい。閉鎖メカニズムは、弁および／またはゲートでよい。各孔は、個々に開閉されることができる。または、閉鎖メカニズムは、各配列のすべての孔を一度に閉じるために中央的に操作されることができる。閉鎖メカニズムの存在で、ユーザは、装置のアクティブパーツの断面積を変化させることができる。
【００３０】
使用するエレメントの長さ、および装置のサイズは、変化されてもよく、そして、装置が用いられる深さ、所望の使用、エレメントの向き、関係する水深、水の範囲内の海流の流れのこの種の範囲の要因に依存する。装置は、何十メートルから数百メートルまでの範囲を超えて延びてよく、そして、システムが設置される水域の幅に依存することができる。
【００３１】
装置は、任意の適切な材料から作られることができる。材料は、さまざまな異なる現実の軟鋼、ステンレス鋼、ガラス強化プラスチック、ポリカーボネート、コンクリートおよび／または合板を含むことができる。他の高合金鋼および金属もまた、必要に応じて用いられることができる。
【００３２】
本発明の第２の態様は、水域の流体の流れを用いて電気を発生する本発明の第１の態様による装置に含まれるエレメントであって；エレメントは、細長い流れ通路を定義し、そして上流側および下流側を有しており、エレメントには、その長さに沿って間隔を置いた一連の孔が設けられ、下流側は、流れの方向に延びてテーパーが付けられており、エレメントが１つの配列において並んで配置されるときに、隣接するエレメントの対向する壁は、ベンチュリ部および前記ベンチュリ部から下流に延びる第１のディフューザ部を定義する、エレメントを備える。
【００３３】
本発明の第３の態様は、本発明の第１の態様による装置の使用を含む水の流れから電気を発生する方法であって、装置を水域に提供するステップ、潮または海流の流れがベンチュリを通って流れることを許容するステップ、および二次流れが流れ導管を通って流れて、そしてタービンを駆動することを許容するステップ、を含む方法、を含む。
【図面の簡単な説明】
【００３４】
本発明は、添付図面を参照して例としてここに記載される。
【図１】図１は、海流の流れを横切って整列配置される本発明による装置の実施形態を示す。
【図２】図２は、海流の流れを横切る本発明によるパイプの配置の概略的平面図を示す。
【図３】図３は、水平に配置されたパイプを有する本発明の実施形態を示す。
【図４】図４は、本発明に用いる水平パイプの詳細を示す。
【図５】図５は、水平に配置されたパイプを有する本発明の実施形態の縦断側面図を示す。
【図６】図６は、本発明の装置に用いるパイプの横断面図の例を示す。
【図７】図７は、本発明の装置に用いるパイプの横断面図の例を示す。
【図８】図８は、本発明の装置に用いるパイプの横断面図の例を示す。
【図９】図９は、本発明の装置に用いるパイプの横断面図の例を示す。
【図１０】図１０は、本発明の装置に用いるパイプの横断面図の例を示す。
【図１１】図１１は、本発明の装置に用いるパイプの横断面図の例を示す。
【図１２】図１２は、本発明の装置に用いるパイプの横断面図の例を示す。
【図１３】図１３は、本発明の装置に用いるパイプの横断面図の例を示す。
【図１４】図１４は、本発明の装置に用いるパイプの横断面図の例を示す。
【図１５】図１５は、本発明の装置に用いるパイプの横断面図の例を示す。
【図１６】図１６は、本発明の装置に用いるパイプの横断面図の例を示す。
【図１７】図１７は、本発明の実施形態に用いるパイプの概略的横断面図を示す。
【図１８】図１８は、水平のベーンを有する本発明の実施形態の概略図を示す。
【図１９】図１９は、内部セグメンテーションを有する垂直に配置されたパイプを有する本発明の実施形態の概略図を示す。
【図２０】図２０は、水平に配置されたパイプを有する本発明の実施形態の概略図を示す。
【図２１】図２１は、垂直のパイプを有する本発明の一実施形態の概略図を示す。
【図２２】図２２は、図２１の実施形態の切り取った図を示す。
【図２３】図２３は、図２１の実施形態の別の切り取った図を示す。
【図２４】図２４は、本発明の実施形態の側面図を示す。
【図２５】図２５は、シンフォニックカウルを備える本発明の実施形態の側面図を示す。
【図２６】図２６は、水域の幅の一部を横切って設置される本発明の実施形態の概略図を示す。
【図２７】図２７は、図２６の側面図を示す。
【図２８】図２８は、水域を横切って設置されるすきまを有する本発明の実施形態の概略図を示す。
【図２９】図２９は、水域に沿って設置される構造の鳥瞰図を示す。
【図３０】図３０は、水域に沿って設置される構造の側面図を示す
【図３１】図３１は、異なる水位でのパイプの側面図を示す。
【発明を実施するための形態】
【００３５】
本発明は、概して、特許文献１に開示された技術に基づく。そしてそれは、水域における潮、波または海流の流れを用いて電気を発生するための第１および第２のパイプの配置を含む装置を記載する。第１のパイプは、その長さに沿って間隔を置いた一連の孔を備えていて、水域への入口を有する流れ導管に接続している。隣接するパイプ間に定義されるベンチュリは、流れ導管を通って水を引いて、発電機に接続したタービンを駆動するために、孔を通って第１のパイプの内部から流れを誘発するベンチュリポンプとして作用する。
【００３６】
用語ＳＭＥＣは、この種の技術を定義するために用いる。語「スペクトル」は、周囲の波動スペクトルがピークに達すると思われる周波数にかかわりなくパイプ間のいかなる水の運動からもエネルギーが抽出されることを示す。ＳＭＥＣは、「全スペクトル」である。それは、ゼロに近い周波数（すなわち潮の流れ）および一方向の（川の）流れでさえも、よく働く。
【００３７】
本発明の基本原理は、隣接するパイプ間にディフューザ部が形成されるように、パイプが少なくとも１つのテーパー付きの側部を有するＳＭＥＣ装置を提供することである。図１は、海流の流れを横切ってセットされる一連のパイプを備える装置の一部を示す。図２は、動作原理を説明するためにパイプの平面図を示す。
【００３８】
装置は、隣接するパイプ間に定義されるベンチュリ１２を有する基本的に同じ平面において、平行に間隔を置いて並んだ配置において垂直に配置されるパイプ１０の配列を備える。パイプの下端部は、タービン１８を収納している流れ導管１６に接続された共通の水平マニホルド構造１４に接続している。タービン１８は、駆動軸を介して発電機に接続している。各パイプ１０は、下流に向かってテーパー付きの側部２０を備える。各パイプ１０の上流側２２には、流れ通路２４、およびパイプの長手方向に沿って間隔を置いた孔２６の列を備える。ベンチュリ部１２およびディフューザ部２８が、隣接するパイプ１０の対向壁によって定義されるように、隣接するパイプ１０は配置される。孔２６は、それらが流れ通路２４と流体連通していて、かつベンチュリ部１２においてまたはその近くに位置するように、配置される。
【００３９】
流れ導管を通って水４０を引いて、タービンを駆動するために、パイプの配置を過ぎた所の水の一次流れ３６が、孔２６を通ってパイプの内部から出る流れ３８を誘発するベンチュリポンプとしてベンチュリ１２を作用させるように、水は、入口３２を経て流れ導管１６に入り、そしてパイプ１０は、流れ導管の出口３４に接続している。上流側の水面ヘッドから下流側の水位への落差は、ベンチュリ効果によって生じる。パイプ間のベンチュリによる海流の流れにつれて、増幅された水頭損失は、ベンチュリにおいて生じる。これは、孔２６を通って外へ出る水の流れ３８を誘発する。パイプ、流れ導管およびタービン全体のこの増幅された落差は、タービンを駆動するために用いることができる一次流れよりも小さい容積を有するマニホルド配管を通る高速の二次流れ３８を誘発する。
【００４０】
図３は、ＳＭＥＣ装置用のパイプ５０の異なる配置を示す。そしてそれは、水域６２の入口を横切って設置される。本実施形態において、装置のパイプ５０は、実質的に水平の平面を有する実質的に水平に配置されて、垂直のマニホルド６４に接続している。隣接するパイプの対向する壁がベンチュリおよびディフューザ部を定めるように、水平のパイプ５０は、本質的に同じ平面において平行に間隔を置いて並んでいる配列に配置される。
【００４１】
図４および図５に関して、各パイプ５０は、テーパー付きの側部５６、流れ通路５８、およびパイプ５０の長手方向に沿って間隔を置いた孔６０を備える。ベンチュリ部６６およびディフューザ部６８が、隣接するパイプの対向する壁間に定義されるように、隣接するパイプ５０は配置される。流れ導管を通って水を引いて、タービンを駆動するために、パイプの配置を過ぎた所の水の流れが、孔を通ってパイプの内部から出る流れを誘発するベンチュリポンプとしてベンチュリを作用させるように、水６２は、入口を経て流れ導管１６に入り、そしてパイプ５０は、マニホルド６４の出口に接続している。
【００４２】
ベンチュリパイプの水平配置は、ベンチュリにおいて誘発された低圧を一次流れの自由表面から分離するのを助けることができる。これは、ベンチュリにおいて形成される低圧を維持するのを助ける。そしてそれは、二次流れを駆動して、これにより、達成可能な潜在的に役立つパワー出力を維持するのを助ける。
【００４３】
ベンチュリによるエネルギー損失は、ベンチュリ内部での二次流れの一次流れとの再統合の結果として、発生することができる。二次流れから抽出されることができる役立つ仕事の理論的な最大量は、ＳＭＥＣ装置のジオメトリの関数である。ベンチュリのプロフィールのジオメトリは、ベンチュリのエネルギー損失に影響を及ぼすことができる。
【００４４】
図６〜図１１は、一方向流れに用いる装置を形成するために使用することができるパイプのプロフィールの例を示す。
【００４５】
配列を形成している各パイプ７０は、上流側７２および下流側７４を備える。流れ通路７６は、上流側７２と下流側７４との間に配置される。一連の孔またはスロット７８は、それらが隣接するパイプ間に形成されるベンチュリ部８０においてまたはその近くに配置されるように、流れ通路７６の長手方向に沿って定義される。孔またはスロット７８は、最大の幅を有するパイプの位置において、パイプの長手方向に沿って間隔を置いて配置される。一方向流れ８２に用いられるパイプ７６において、パイプの上流側および下流側のプロフィールは、ベンチュリ８０の下流のディフューザ部８６よりも短いベンチュリ８０への入口８４によって異なることがありえる。
【００４６】
流れ通路の長手方向に沿って定められる孔の個数、形状および配列は、異なることができる。孔という用語は、流れ通路への開口、スロット、続くスロット、細長い孔、および他の任意の適切な開口を含むことができる
【００４７】
図６は、装置に用いられるベンチュリパイプ７０の１つのプロフィールを示す。中空ベンチュリパイプ７０は、短い実質的に半円形の上流側７２から細長い下流側７４にテーパーがついた実質的に涙形状を備える。二次流れの通路の一部を形成している流れ通路７６は、パイプ７０の長手方向に沿って延びる。孔７８は、パイプ７０の長手方向に沿って上流側７２と下流側７４との間に位置する。パイプ７０は、内部控え柱８８の追加によって補強されることができる。
【００４８】
図７は、一方向流れのためのベンチュリパイプのプロフィールを示す。中空ベンチュリパイプ７０は、短い尖った上流側７２および細長い下流側７４を有し、パイプ７０の長手方向に沿って延びる流れ通路７６を有している実質的に六角形の断面形状を有する。孔７８は、パイプの長手方向に沿って上流側と下流側との間に位置する。
【００４９】
図８および図９は、支柱８８の異なる配置を有する中空の中心部を有するベンチュリパイプの横断面形状を示す。パイプ７０は、テーパーの付いた細長い下流側７４と、より短い半円形の上流側７２とを有する。半円形の上流側７２は、下流側７４よりも広い直径を有する。孔７８は、下流側７４との境界で上流側７２上にパイプ７０の長手方向に沿って位置する。
【００５０】
図１０および図１１は、パイプを補強するために異なる支柱およびプレート配置を有する装置用のパイプの異なる実施形態を示す。パイプ７０の横断面形状は、二次流れの通路のための流れ通路７６を形成している短いテーパーの付いた凸状の上流側７２を有する。パイプ７０は、上流側７２よりも長くて、上流側７２から切り離された、テーパーの付いた細長い下流側７４を有する。孔７８は、流れ通路７６からベンチュリへの二次流れのための下流側７４との境界の近くの上流側７２において、パイプ７０の長手方向に沿って位置する。切り離された下流側７４は、浮力部９０を含むことができる。
【００５１】
一次流れ８２は、パイプ７０間のベンチュリ８０へと加速して、ベンチュリ部８０を通って流れ、次いで、ディフューザ部８６を定めるパイプの壁間において外へ広がる。
【００５２】
パイプの下流側にテーパー付き部を設けることは、一次流れがベンチュリから出て減速するにつれて、圧力回復を補助するのを助ける。ベンチュリポンプの最適な機能のために、低圧状態は、ベルヌーイの定理に従うベンチュリ部の内部で維持されることを必要とする。この要求を満たすために、一次流れは、周囲の自由ストリームヘッドの方へ圧力回復の後退（ｂａｃｋ  ｕｐ）を与えるために、ベンチュリ部の下流側にあるディフューザ部を通ってスムーズに減速することを必要とする。
【００５３】
パイプに対するより鈍くてより短い上流側は、良好な流れ調整を促進するベンチュリの入力部における正の圧力勾配を有する一方向流れにおいて用いることができる。
【００５４】
装置が双方向流れを有する水域において用いられるときに、パイプは、図１２、図１３、図１４に示すように実質的に同じプロフィール形状を有することができる。
【００５５】
双方向流れ１０２ａ、１０２ｂに用いられるパイプ１００は、テーパーの付いた下流側１０４および上流側１０６を有する。そうすると、２つのディフューザ部１０８ａ、１０８ｂは、ベンチュリ部１１０によって分離される隣接するパイプ１００間に定められる。流れ方向１０２ａが逆方向１０２ｂであるときに、パイプの対称形の形状によって、ベンチュリ１１０の入口部１０８ｂは、ディフューザ部になることができる。二次流れ１１２ａ、１１２ｂは、孔を通ってパイプ１００から離れる一次流れ１０２ａ、１０２ｂと一緒になる。図１２に示すように、双方向性のパイプ１００は、水の流れ１０２の方向と平行に延びる実質的に楕円形状を有することができる。双方向流れに用いられるパイプの横断面形状のさらなる例を図１３に示す。双方向パイプ１００は、水の流れ１０２の方向と平行に延びる実質的に六角形の形状を有することができる。
【００５６】
低いディフューザ角度を達成するために、長い翼弦長さを有するパイプは、得られる。図１４は、隣接するパイプ１００によって形成されるディフューザ部１０８ａ、１０８ｂの範囲内に位置するスペーサ要素１１４を有する双方向パイプ１００の配列を示す。圧力回復を補助するために小さい有効角度をまだ保存する一方で、スペーサ要素１１４は、全部のアセンブリ上の短い翼弦長が使用できるようにディフューザ部の範囲内に配置されることができる。スペーサ要素１１４を有するディフューザ部１０８ａを通過する一次流れ１０２の方向の変化は、流れのミキシングを促進して、圧力回復を補助する。
【００５７】
図１５に関して、スペーサ１１４は、ディフューザ部１０８ａ、１０８ｂの内外に移動可能でありえる。スペーサ１１４の移動は、一次流れの速度が連続的に変わり得る潮の流れのパフォーマンスを助けることができる妨害物比率を変える。ベンチュリ部の近くの位置からさらに下流の位置へのスペーサの移動は、妨害物比率を低下させる。
【００５８】
適切な流れプロフィールを得るため流れ調整を改善するために、さらなる変化は、ＳＭＥＣ装置になされることができる。図１６に示す実施形態において、スペーサ１１４ａ、１１４ｂは、ベンチュリ部の範囲内で隔膜１１６によって接続されることができる。これは、スペーサ周辺での不規則な分流を防止するのを助けることができて、流れ調整を助けることができる。
【００５９】
妨害物比率は、装置の性能に影響することができる。妨害物比率は、ベンチュリ部で隣接するパイプ間のギャップの近くで２つの隣接するベンチュリパイプの中心線間の間隔を分けることによって形成される。
【００６０】
ディフューザ部を定めるパイプの外面は、粗い領域を含むことができる。粗面は、ミキシングを促進することができ、かつ圧力回復を補助することができる境界層の乱流を促進するのを助ける。表面は、滑らかでない面（例えば窪みのある面）を有することができる。表面は、その製造中にパイプ上に形成されてよく、または、海洋生長物または類似物の自然な累積を許容することによって長い時間許容することによって、使用中にパイプに発達することができる。
【００６１】
図１７は、下流側１２４の翼後縁に穿孔１２２を備えるＳＭＥＣ装置に用いられるパイプ１２０のプロフィールを示す。穿孔１２２は、パイプの下流側１２４の端部において形成されることができる。そして、流量制御弁１２６は、ディフューザ部の境界層から流れ通路１２８への水の流れを制御するために、下流側１２４の範囲内に位置することができる。流量制御弁１２６は、流れの剥離を防止するかまたは遅延させるのを助けるディフューザ部の境界層からパイプ１２０内へ水を引き込むために用いることができる。
【００６２】
図１８は、マニホルド１３６に接続して垂直に配置されたパイプ１３４を横切って水平に延びている流れ管理ベーン１３２を有する本発明の実施形態を示す。装置は、パイプの垂直に配置された配列を横切って水平に配置される１つ以上の流れ管理ベーン１３２を有する垂直パイプ１３４の配列を備える。水平ベーンは、それがベンチュリを通過するにつれて流れを実質的に水平に保つために平坦でありえる。
【００６３】
各ベンチュリのすきまの上部の水面は、それがディフューザ部へと出て行くにつれて、減速に先立ってベンチュリの短い長さ上の高速度まで前方へ加速した水柱の自由表面である。自由水面の高さは、その全ヘッドから生じる合成力のバランスによって規定される。そして、その運動量および大気圧の変化率がそれに作用する。その局所的に減少した全ヘッドが指示するよりも高い高さで残る自由水面の高さは、準静的である。パイプで下げる自由表面のいかなる傾向も、デバイスの性能に有害な影響を及ぼすことができる。パイプ全体に管理ベーンを位置決めすることによって、自由表面の低下は、阻害されることができる。
【００６４】
パイプ自体が図３に示されるように例えば水平のときに、パイプの水平配置は、水平管理ベーンがパイプの垂直配置に提供することができるのと同じ効果を本質的に装置に提供する。
【００６５】
装置が潮の流れに位置する状況において、一次流れ水の自由表面は、可変的な高さを有することができる。図１９は、水平のマニホルド１４２に接続している垂直パイプ１４０を有する装置の一部の断面図を示す。本発明のさらなる実施形態において、各パイプ１４０は、パイプの長さに沿って垂直に配置される複数のチャンバ１４４に分けられる。フィーダ管１４６は、各チャンバ１４４に接続していて、二次流れ水の自由表面が到達する最少の自由表面レベル１４８の下方まで延びる。必要なチャンバの数は、パイプがさらされる水位の変化、パイプの長さ、およびパイプの孔１５０の頻度に依存する。
【００６６】
水位落下のような潮の流れにおいて、一番上の孔は、パイプ内部の水を大気圧に露出させる空気にさらされることができる。ベンチュリパイプ内部の水位は、次いで落下し、そしてパイプに沿ったより少しの孔が作動するので、より少ない電力は発生することができる。管を介して各々がパイプの下端部と流体連通する一連のチャンバを作成するパイプの内部セグメンテーションは、低い水位でさえ一次流れの水面下のすべての孔が利用されることを可能にする。
【００６７】
本発明の他の実施形態において、装置が水平パイプ１６０を備えるときに、垂直のマニホルド１６４は、セグメント化されることができる。図２０は、一連の孔１６２を備え、かつ垂直マニホルド１６４間に延びている水平ベンチュリパイプ１６０を有する装置の一部の断面図を示す。マニホルド１６４は、発電機１７０を駆動する駆動軸に接続しているタービン１６８を収納する流れ導管１６６に接続している。垂直のマニホルドパイプ１６４は、マニホルドの少なくとも一部の長さに沿って垂直に配置される複数のチャンバ１７２に分けられる。管１７４は、各チャンバに接続していて、チャンバから、二次流れ水の自由表面が到達する最少の自由表面レベル１７６の下まで延びる。各チャンバ１７２は、垂直マニホルド１６４から延びている水平パイプ１６０と一致するように配置される。必要なチャンバの数は、パイプがさらされる水位の変化に依存する。すべてのベンチュリパイプが個々のチャンバと関係していることは、必要でない。
【００６８】
図２１、図２２、図２３は、ＳＭＥＣ装置のさらなる実施形態を示す。この装置は、垂直パイプ２００の配列を備える。垂直パイプ２００は、テーパーの付いた下流側２０２および流れ通路２０４を有し、流れ通路２０４は、その長さに沿って配置される孔２０６を有する。パイプ２００は、共通の水平マニホルド２０８に接続していて、水平マニホルド２０８は、垂直の流れ導管２１０に接続している。流れ導管２１０は、水域から水を受け入れるための入口２１２、および駆動軸を介して発電機２１６に接続していて流れ導管２１０の範囲内に位置する１つ以上のタービン２１４を有する。水平マニホルド２１８は、パイプ２００および流れ導管２１０の全体に配置される。
【００６９】
図２４は、ＳＭＥＣ装置の一実施形態を示す。装置は、一連の垂直パイプ２０を備える。垂直パイプ２０は、装置の上部全体に延びている実質的に水平のバリア２２０を有するそれらの上端部で切り離される。使用中、水平バリア２２０は上流側の水位２２２の下に位置し、そしてパイプ２０の上部は下流側の水位２２４の下に位置する。パイプの垂直長さは、特定の場所で流動状態に合うために、装置の設計中に選択される。実質的に垂直のバリア２２６は、水平バリア２２０から上方へ延びる。垂直バリア２２６は、水を通さず、上流側の水位をパイプの上部よりも上に保持する。
【００７０】
図２５は、ＳＭＥＣ装置の実施形態を示す。装置は、一連の垂直パイプ２０を備える。垂直パイプは、装置の上部全体に延びているバリア２２０を有するそれらの上端部で切り離される。使用中、バリア２２０は、上流側の水位２２２よりも低い状態のままである。実質的に垂直のバリア２２６は、水平バリア２２０から上方へ延びる。垂直バリアは、水を通さず、上流側の水位２２２をパイプの上部よりも上に保持する。シンフォニックカウル２２８は、装置の下流側の端部に取り付けられる。垂直パイプ２０の上部の間を流れる水は、下流側の水位２２４の高さを上回る高さでパイプ２０の間から出る。カウル内の水の静水圧が大気圧以下に落ちることができて、これにより、カウルの下で水柱による均一な圧力勾配ができて、改善した流れの調整を容易にすることができるように、シンフォニックカウル２２８は、カウル内部の水を大気圧から分離する。
【００７１】
ＳＭＥＣ装置を設置する方法は、装置のタイプによって、そして装置が設置される場所によって、変化することができる。方法は、位置まで装置の部分を浮かせておき、制御された洪水によって位置まで装置を降ろす、および／またはクレーンもしくは他の吊り上げ装置によって位置まで装置を降ろすことを含むことができる。ＳＭＥＣ装置は、水域全体にわたるように（すなわち川または海峡の岸から岸まで）設置されることができ、または水域全体の部分的にのみ設置されてもよい。
【００７２】
従来の堰に関しては、輸送の通過ができるようにするために、ロックは、ＳＭＥＣ装置に組み込まれることができる。すきまは、船、魚または海産哺乳類が川を上下に通過できるようにするために、ＳＭＥＣ装置に組み込まれてよい。
【００７３】
装置が装置よりも大きい横断面を有する流れに置かれる所で、自由端縁部の存在によって一次流れは、パイプを通過するよりはむしろ装置の周辺でそれることができる。水域と関連する装置の長さが長ければ長いほど、役立つ潜在的に利用できる出力エネルギーのパーセンテージとしての損失は、より少ない。
【００７４】
端縁部損失の効果を減らすために、装置は、水が移動する水域全体にわたって（例えば川の岸から岸まで、または１つの海岸から他の海岸まで）延びることができる。装置１８０が水域１８２の全体を遮らない図２６、図２７に示すように、端縁部損失は、最小にされることができる。この構成では端縁部損失を最小にするために、装置１８０の上流側で直角に延びる面１８４は、装置の自由端部に取り付けられることができる。面１８４は、パイプ１８６を通る水を導いて、端縁部の周辺で流れを最小にするのを助けることができる。二次流れ１９０のための入口１８８は、一次流れ１９２が自由端縁部の周辺よりはむしろパイプ１８６の間を通過するのを奨励するために、自由端縁部に位置することができる。
【００７５】
図２８において、装置１８０は、タービン１９６が位置する入口を備えて途中で横切るすきま１９８を有して、水域１８２の全幅にわたって実質的に設置される。面１８４は、バイパス流れを阻害するのを助けるためにすきま１９８の両側においてモジュールの自由端縁部の各々に取り付けられ、その一方で、構造の開いた通路をさらに維持する。タービンを通る二次流れ１９０は、装置全体の落差に適応する。
【００７６】
一実施形態において、ＳＭＥＣ装置の各々は、モジュールとして形成されることができて、川または他の水域（例えば河口、フィヨルド、水路）の長さに沿って配置されることができる。モジュールは、電気を発生させるために、海流または潮の流れを使用することができる。
【００７７】
図２９に示すように、モジュールから形成される一連の構造２００は、川２０２または他の水域の長さに沿って設置される。各構造２００は、水の流れ２０４の方向に垂直な川の幅全体に、そしてさらなるモジュールの上流側におよび／または下流側に配置される。
【００７８】
図３０は、川２０２の長さに沿って配置される３つの構造２００を有する、運転中の装置の概略図を示す。さらなる構造は、必要に応じて設置されることができる。構造は、水が川を流れ下るにつれて水に対して障害を形成し、そして、河川水位の軽い増加は、ＳＭＥＣの背後で発生する。川の深さのこの増大は、装置の低い水頭のドライバである。各構造の背後で形成される自由ボード高さは、川を完全にさえぎることと比較して最小であるので、上流側の環境インパクトはより害がない。
【００７９】
構造が間隔を置いた距離は、構造の配列の上流側で河川水位の最終的な増加を決定する際の一部をなす。各構造間の距離は、それが設置される環境に依存する。構造間の距離は、川が流れる土地の輪郭によって変化する。上流側の構造が配置される所の川の流れ水位がいかなる下流側のＳＭＥＣによっても実質的に影響を受けないように、各構造間の距離は、充分でありえる。構造が十分に離れて間隔を置かれる場合、各構造のすぐ後ろの水頭の局所化された増加にもかかわらず、構造の上流側の河川の水位は、その原型のレベルに達する。
【００８０】
パイプの高さは、構造が設置される川の深さに合うように選択される。パイプの長さは、バイパス流れを最小にするためにモジュールが河床まで延びるような長さである。
【００８１】
モジュールは、水域の範囲内で移動可能であるように設置されることができる。図３１に示すように、モジュールは、浮力部９２または外部フロートを備えることができる。そしてそれは、パイプ２０の上部を水面レベル９４に保つ。水位９４が落下するにつれて、ＳＭＥＣは、水位が上下するにつれてパイプ２０の孔３０およびモジュールが実質的に水浸しのままであるように、河床９６上に転がることができる。
【００８２】
一旦第１の構造が川に置かれると、さらなる構造は、第１の構造の上流側および／または下流側で川全体に配置されることができる。設置される構造の数は、環境および、発生することを必要とする電気の量に依存する。この実施形態は、沿岸の海流および潮の力をエネルギーに利用できないときに、内陸の水系に特に適用することができる。ＳＭＥＣモジュールは、潮の高さの範囲に依存しなくて、容積測定の流入および流出に依存する。これは、高速度で（例えば、有意な深さまたは幅を有する川）必ずしも流れているわけではない大きな水量がある水域において、ＳＭＥＣを特に適切にする。
【００８３】
二次流れのパスを通して発生する摩擦損失は、得られることができる最大出力の減少に結果としてなる流れのパスの全体にわたって、多くの位置で圧力の低下を引き起こすことがありえる。水がタービンに入るにつれて、摩擦損失は、タービンへの吸入によって発生することができる。これらの損失は、滑らかに輪郭を描かれた入力ダクトを用いることにより最小にされることができる。
【００８４】
電力消費タービンの流体力学の効率は、装置の全体の性能に影響を及ぼすことができる。制御可能なピッチ・タービンの使用は、性能を最大にするのを助けることができる。ＳＭＥＣに適するタービンの種類は、軸流れおよびカプラン・タービンタイプを含む。摩擦損失の全ては、鋭い端縁部を減らして、水と接触するタービンの部分の滑らかな内表面を使用することによって、最小にされることができる。タービンは、水中に低く置かれることができる。これは、周囲の運転圧力を増加させて、そして、ブレード面の上のキャビテーションからの抑制および性能劣化を助ける。水面より上に発電機を配置することは、いかなる電気機械とも接触する水のチャンスを減らす。これは、タービンと発電機との間の十分に長い駆動軸で達成されることができる。
【００８５】
タービンからの排流は、流れ調整を受けることができる。これは、ディフューザを形成しているタービンの下流側で外側にテーパー付けられたドラフト管の位置を決めることによって達成されることができる。これは、二次流れから抽出されることができる仕事率を上昇させるタービンの下流側の減少した圧力低下を継続するのを助ける。
【００８６】
水平マニホルドから延びている垂直パイプを有する装置のために、体積流量は、各次のベンチュリパイプへの水の流れとして減少する。したがって、本発明の一実施形態において、マニホルドの横断面領域は、沈殿物付着のための限界値よりも上の値でマニホルドの長さに沿って一定の流れ速度を与えるために、流れのパスに沿って減少することができる。この種の流れ状態はまた、マニホルドにおけるエネルギーを浪費する渦の形成を防止するのを助けることもできる。
【００８７】
さらなる実施形態において、タービンおよび発電機は、装置から外部にいかなる破片または汚染も逆流させるポンプとして逆に動作するように設計されることがありえる。従来の汚れ止めの処理および機械的クリーニングツールはまた、海洋汚染および堆積作用が装置の性能に有することができる効果を最小にするために、装置に組み込まれることもできる。
【００８８】
変化は、本発明にもたらされることができる。パイプのプロフィールのアスペクト比は、配列の最適な性能を提供するために変化することができる。パイプのプロフィールのアスペクト比は、プロフィールの長さＬと、プロフィールの最も広い位置での幅Ｗとの比率である。
【００８９】
さらなる変化は、本発明の範囲内にされることができる。
【図１】
0005964758.tif 000002
【図２】
0005964758.tif 000003
【図３】
0005964758.tif 000004
【図４】
0005964758.tif 000005
【図５】
0005964758.tif 000006
【図６】
0005964758.tif 000007
【図７】
0005964758.tif 000008
【図８】
0005964758.tif 000009
【図９】
0005964758.tif 000010
【図１０】
0005964758.tif 000011
【図１１】
0005964758.tif 000012
【図１２】
0005964758.tif 000013
【図１３】
0005964758.tif 000014
【図１４】
0005964758.tif 000015
【図１５】
0005964758.tif 000016
【図１６】
0005964758.tif 000017
【図１７】
0005964758.tif 000018
【図１８】
0005964758.tif 000019
【図１９】
0005964758.tif 000020
【図２０】
0005964758.tif 000021
【図２１】
0005964758.tif 000022
【図２２】
0005964758.tif 000023
【図２３】
0005964758.tif 000024
【図２４】
0005964758.tif 000025
【図２５】
0005964758.tif 000026
【図２６】
0005964758.tif 000027
【図２７】
0005964758.tif 000028
【図２８】
0005964758.tif 000029
【図２９】
0005964758.tif 000030
【図３０】
0005964758.tif 000031
【図３１】
0005964758.tif 000032